(57)【要約】【課題】  洗濯機パン等からの排水のための配管の接続作業が容易で、十分な強度を維持できる排水構造等を提供する。【解決手段】  防水用受け台２と、受け台２の一部に穿設された開口部２ｂに収納される排水トラップ３と、排水トラップ３を鉛直軸まわりに回動可能に支持するとともに、排水トラップ３と接続される配管６、１０の収納空間４ｂを有する収納部品４とを備える排水構造１。収納部品４を床上に設置し、収納部品４の収納空間４ｂで排水トラップ３と床下に固定された既設の排水管７等を接続し、収納部品４の上方から受け台２を載置し、受け台２の一部に穿設された開口部２ｂに排水トラップ３を収納して固定することにより排水構造を構成する。排水管７の位置が固定されていても収納空間４ｂを介して簡単に排水構造を組み立てることができ、所定の剛性を有する管を使用可能で、高強度の配管構造とすることができる。【選択図】  図１
2006016878.tif 000002
【特許請求の範囲】
【請求項１】
防水用受け台と、
該防水用受け台の一部に穿設された開口部に収納される排水トラップと、
該排水トラップを鉛直軸まわりに回動可能に支持するとともに、該排水トラップと接続される配管の収納空間を有する収納部品とを備えることを特徴とする排水構造。
【請求項２】
水栓を備える防水用受け台と、
該防水用受け台の一部に穿設された開口部に収納される排水トラップと、
該排水トラップを鉛直軸まわりに回動可能に支持するとともに、該排水トラップと接続される配管及び給水配管の収納空間を有する収納部品とを備えることを特徴とする給排水構造。
【発明の詳細な説明】
【技術分野】
【０００１】
本発明は、排水構造及び給排水構造に関し、特に、洗濯機、シャワーバス等に用いられる排水構造及び給排水構造に関する。
【背景技術】
【０００２】
従来、例えば、図６に示すように、洗濯機を置くための防水用受け台としての洗濯機パン４０は、水が床に流れ出ないように周囲が盛り上がるように形成され、底面４０ａには洗濯機の排水ホースを接続する排水トラップ４１が付設される。そして、この洗濯機パン４０を木造床４４に設置する場合には、建築物の床下にトラップ本体４１ａを設置し、床下の排水管４２と接続していた。
【発明の開示】
【発明が解決しようとする課題】
【０００３】
しかし、上記従来の排水構造においては、床下で作業を行わなければならないとともに、床下に固定された配水管４２に排水トラップ４１の上下方向及び鉛直軸まわりの回転方向の位置合わせをする必要があるため、接続作業が煩雑となり、作業に長時間を要するという問題があった。また、図示の木造床４４ではなく、コンクリート床の場合には、床の仕上がり以前にトラップを設置するため、仕上がり時の微妙な歪と誤差の調整が容易ではないという問題があった。
【０００４】
また、上述のような問題点は、洗濯機パンを設置する場合に限らず、シャワーバス等における排水構造についても同様の問題があった。尚、剛性を有する配管ではなく、蛇腹等を有するフレキシブルな配管を用いることにより、配管接続作業を軽減することは可能であるが、フレキシブル配管は強度に劣るため、所定の強度を必要とする配管構造にはフレキシブル配管を用いることができなかった。
【０００５】
そこで、本発明は、上記従来の排水構造や、配管構造における問題点に鑑みてなされたものであって、配管の接続作業を容易に行うことができるとともに、十分な強度を維持することも可能な排水構造等を提供することを目的とする。
【課題を解決するための手段】
【０００６】
上記目的を達成するため、本発明は、排水構造であって、防水用受け台と、該防水用受け台の一部に穿設された開口部に収納される排水トラップと、該排水トラップを鉛直軸まわりに回動可能に支持するとともに、該排水トラップと接続される配管の収納空間を有する収納部品とを備えることを特徴とする。
【０００７】
そして、本発明によれば、収納部品を床上に設置し、収納部品の収納空間において、排水トラップと床下に固定された既設の排水管等を接続し、収納部品の上方から防水用受け台を載置し、防水用受け台の一部に穿設された開口部に排水トラップを収納して固定することにより排水構造を構成することができるため、排水管の位置が固定されていても収納空間を介して簡単に排水構造を組み立てることができる。この際、接続用配管として、フレキシブル配管ではなく、所定の剛性を有する管を用いることができるため、高強度の配管構造とすることができる。
【０００８】
また、本発明は、給排水構造であって、水栓を備える防水用受け台と、該防水用受け台の一部に穿設された開口部に収納される排水トラップと、該排水トラップを鉛直軸まわりに回動可能に支持するとともに、該排水トラップと接続される配管及び給水配管の収納空間を有する収納部品とを備えることを特徴とする。
【０００９】
そして、本発明によれば、上述の排水構造と同様に、収納部品を床上に設置し、収納部品の収納空間において、排水トラップと床下に固定された既設の排水管等を接続し、収納部品の上方から防水用受け台を載置し、防水用受け台の一部に穿設された開口部に排水トラップを収納して固定することにより排水構造を構成することができるため、排水管の位置が固定されていても収納空間を介して簡単に排水構造を組み立てることができ、高強度の配管構造とすることができるとともに、前記収納空間を利用して給水配管を設け、防水用受け台に水栓を取り付けて給水構造をも実現することができる。
【発明の効果】
【００１０】
以上説明したように、本発明によれば、配管の接続作業を容易に行うことができるとともに、十分な強度を維持することも可能な排水構造や給排水構造を提供することができる。
【発明を実施するための最良の形態】
【００１１】
図１は、本発明にかかる排水構造の一実施の形態を示し、以下の説明においては、本発明にかかる排水構造を洗濯機の排水に適用した場合を例にとって説明する。
【００１２】
この排水構造１は、防水用受け台としての洗濯機パン（以下、「パン」と略称する）２と、パン２の底面に収納される排水トラップ３と、パン２の下方に配置され、排水トラップ３を回動可能に支持するとともに、この排水トラップ３と接続される配管の収納空間４ｂを有する収納部品４とで構成される。
【００１３】
パン２は、平面矩形状に、周囲が盛り上がるように形成される。パン２の底面２ａの左端部には、排水トラップ３を収納するための円形の開口部２ｂが穿設される。
【００１４】
排水トラップ３は、一般的に用いられる形式のものであって、上記パン２の開口部２ｂに収納可能な外径を有する。排水トラップ３の天井部３ａは、図示しない洗濯機のホースに接続され、排水トラップ３の胴体から突出する接続部３ｂが後述するように洗濯機の排水を系外に排出するための排水管に接続用配管を介して接続される。
【００１５】
収納部品４は、本発明の特徴部分であって、図２に示すように、全体的に矩形板状に形成され、パン２の下方に配置される。収納部品４は、排水トラップ３を鉛直軸まわりに回動可能に支持する略々円筒状の開口部４ａと、排水トラップ３と接続される配管を収納するための収納空間４ａを有する。開口部４ａと収納空間４ｂとは、開口部４ａの右側で連続する。
【００１６】
次に、上記構成を有する排水構造１の使用方法について、図３乃至図５を参照しながら説明する。
【００１７】
まず、図３に示すように、収納部品４を、パン２を設置しようとする床５にビス８等で固定する。この際、床５の下方に位置する排水管７の立上部７ａを収納部品４の収納空間４ｂ内に配置する。
【００１８】
次に、図４に示すように、排水トラップ３を開口部４ａに収納し、接続用配管６及びエルボ１０を介して排水管７と接続する。この際、排水トラップ３は、開口部４ａ内で鉛直軸回り（図４（ａ）の矢印で示す方向）に回動自在であるため、排水管７の位置が固定されていても、収納空間４ｂ内で簡単に排水トラップ３、接続用配管６及びエルボ１０の角度を変化させることができるため、容易に接続作業を行うことができる。
【００１９】
最後に、図５に示すように、収納部品４の上方からパン２を覆い被せるようにして設置し、パン２の開口部２ｂに排水トラップ３を収納し、パン２全体をビス９等で床５に固定して作業が完了する。
【００２０】
尚、上記実施の形態においては、収納部品４をパン２で完全に覆うように構成したが、収納部品４の上面にパン２に載置するだけで、収納部品４をパン２で完全に被覆しない構造とすることもでき、既存のパン２を流用することもできる。
【００２１】
尚、上記実施の形態においては、本発明にかかる排水構造を洗濯機の排水に適用した場合を例にとって説明したが、洗濯機以外にも、シャワーバス等の排水構造にも適用することができる。
【００２２】
また、上記収納部品４の収納空間４ｂを利用して、収納空間４ｂ内に給水配管を追加し、防水用受け台２に水栓を取り付けることにより、給水構造を形成することもでき、上記排水構造と組み合わせて給排水構造を提供することができる。また、給水配管以外にも電気配線等を収納部品４の収納空間４ｂに組み込むこともできる。
【図面の簡単な説明】
【００２３】
【図１】本発明にかかる排水構造の一実施の形態を示す図であって、（ａ）は正面図、（ｂ）は平面図である。
【図２】図１の排水構造の収納部品を示す斜視図である。
【図３】図１の排水構造の使用方法を説明するための図であって、（ａ）は正面図、（ｂ）は平面図である。
【図４】図１の排水構造の使用方法を説明するための図であって、（ａ）は正面図、（ｂ）は平面図である。
【図５】図１の排水構造の使用方法を説明するための図であって、（ａ）は正面図、（ｂ）は平面図である。
【図６】従来の排水構造の一例を示す概略断面図である。
【符号の説明】
【００２４】
１      排水構造
２      パン
２ａ    底面
２ｂ    開口部
３      排水トラップ
３ａ    天井部
３ｂ    接続部
４      収納部品
４ａ    開口部
４ｂ    収納空間
５      床
６      接続用配管
７      排水管
７ａ    立上部
８      ビス
９      ビス
１０    エルボ
【図１】
2006016878.tif 000003
【図２】
2006016878.tif 000004
【図３】
2006016878.tif 000005
【図４】
2006016878.tif 000006
【図５】
2006016878.tif 000007
【図６】
2006016878.tif 000008